(57)【要約】【課題】通常は折畳んだ状態におかれ、必要に応じて展開して端子位置表示器照できる表示面積の大きな多端子端子台の端子位置表示器を得るにある。【解決手段】電気絶縁性材料からなる端子台本体と、この端子台本体の表面に配置される対にされた多数の端子とを備える端子台において、前記端子の配列方向に細長い短冊状に折畳まれたシート状の端子位置表示器を備え、同端子位置表示器の表面には、折り線に沿って展開されたとき、対応関係におかれる端子の位置を示す位置表示が付された多端子端子台の端子位置表示器。【選択図】図２
2005056772.tif 000002
【特許請求の範囲】
【請求項１】
電気絶縁性材料からなる端子台本体と、この端子台本体の表面に配置される対にされた多数の端子とを備える端子台において、前記端子の配列方向に細長い短冊状に折畳まれたシート状の端子位置表示器を備え、同端子位置表示器の表面には、折り線に沿って展開されたとき、対応関係におかれる端子の位置を示す位置表示が付されたことを特徴とする多端子端子台の端子位置表示器。
【請求項２】
前記端子位置表示器は、短辺方向に隣合うように配列される剛性のある複数の薄い短冊状表示器と、これらの短冊状表示器間を連結するように両面に貼着された可撓シートとを備え、同可撓シートに対しては、短冊状表示器の長辺境界部位置を部分的にカットすることにより薄肉ヒンジが形成され、各短冊状表示器はこれらの薄肉ヒンジ位置から折畳まれることを特徴とする請求項１記載の多端子端子台の端子位置表示器。
【請求項３】
前記可撓シートは透明可撓シートであり、前記位置表示は前記短冊状表示器の表面に印刷され、同印刷層が透明可撓シートの被覆によりほこりなどから保護されることを特徴とする請求項２記載の多端子端子台の端子位置表示器。
【発明の詳細な説明】
【技術分野】
【０００１】
本発明は電気配線や通信ケーブルの接続に用いる端子台に関し、特に、多数の端子を備えた端子台の端子位置を示す端子位置表示器に関する。
【背景技術】
【０００２】
周知のように、例えば構内電話交換器や無線電話設備のレピータにおいては、図１に示すような多端子端子台Ａが用いられる。即ち、図１は紙面と直角な方向に細長い棒状に成形される絶縁樹脂製の多端子端子台Ａを備えており、この多端子端子台Ａの頂部ａ１には対にされた上段端子Ｂ１，Ｂ２が、その下部ａ２には対にされた下段端子Ｃ１，Ｃ２が設けてある。
そして、各対の上段端子Ｂ１，Ｂ２間並びに各対の下段端子Ｃ１，Ｃ２間は第１導体片Ｄ並びに第２導体片Ｅによりそれぞれ電気的に同通状態におかれている。
【０００３】
したがって、多数の上段端子Ｂ１，Ｂ２及び下段端子Ｃ１，Ｃ２が配列される多端子端子台Ａに電気ケーブルなどを接続するに際しては、上段端子Ｂ１，Ｂ２及び下段端子Ｃ１，Ｃ２に対応した各端子位置を示す端子位置表示器Ｆ１，Ｆ２，Ｆ３の表示に対応した上段端子Ｂ１，Ｂ２及び下段端子Ｃ１，Ｃ２に電気ケーブルが接続され、これらの端子位置表示器Ｆ１，Ｆ２，Ｆ３が透明な表示器覆いＧ１，Ｇ２，Ｇ３で覆われる。
【特許文献１】特開２００３−１５１６５６公報
【特許文献２】特開２００３−１０９６８６公報
【特許文献３】特開２００３−０８６２６７公報
【特許文献４】特開２００３−０１７１５７公報
【発明の開示】
【発明が解決しようとする課題】
【０００４】
しかしながら、従来の端子位置表示器Ｆ１，Ｆ２，Ｆ３にあっては、表示スペースが非常に制限された状態にあるため、表示自体が小さくなり、対応上段端子Ｂ１，Ｂ２及び下段端子Ｃ１，Ｃ２を見分けることが困難で、特に多端子端子台Ａが筐体の狭い内部の暗がりに位置されている場合には、対応上段端子Ｂ１，Ｂ２及び下段端子Ｃ１，Ｃ２を識別することが難しい場合が多かった。そして、下段端子Ｃ１，Ｃ２に対応した端子位置表示器Ｆ２，Ｆ３は、対応する下段端子Ｃ１，Ｃ２の位置からかなり離れた位置にあるので、斜め方向から見ると、対応下段端子Ｃ１，Ｃ２を確実に認識できない場合があった。
【０００５】
本発明の目的は、以上に述べたような従来の多端子端子台の端子位置表示器の問題に鑑み、通常は折畳んだ状態におかれ、必要に応じて展開して端子位置表示器照できる表示面積の大きな多端子端子台の端子位置表示器を得るにある。
【課題を解決するための手段】
【０００６】
この目的を達成するため、本発明は、電気絶縁性材料からなる端子台本体と、この端子台本体の表面に配置される対にされた多数の端子とを備える端子台において、前記端子の配列方向に細長い短冊状に折畳まれたシート状の端子位置表示器を備え、同端子位置表示器の表面には、折り線に沿って展開されたとき、対応関係におかれる端子の位置を示す位置表示が付された多端子端子台の端子位置表示器を提案するものである。
【発明の効果】
【０００７】
本発明によれば、シート状の端子位置表示器は短冊状に折畳まれた状態にあり、折り線に沿って展開されたとき、対応関係におかれる各対の端子に最寄の位置に位置表示が行われるので、暗い狭い空間や斜め方向からでも、対応端子を簡単に識別できる。
【０００８】
後述する本発明の好ましい実施例においては、
1）       
前記端子位置表示器は、短辺方向に隣合うように配列される剛性のある複数の薄い短冊状表示器と、これらの短冊状表示器間を連結するように両面に貼着された可撓シートとを備え、同可撓シートに対しては、短冊状表示器の長辺境界部位置を部分的にカットすることにより薄肉ヒンジが形成され、各短冊状表示器はこれらの薄肉ヒンジ位置から折畳まれる構造、
2）       
前記可撓シートは透明可撓シートであり、前記位置表示は前記短冊状表示器の表面に印刷され、同印刷層が透明可撓シートの被覆によりほこりなどから保護される構造
を提案するものである。
【発明を実施するための最良の形態】
【０００９】
以下、図２から図７について本発明の好ましい実施例を説明する。
【実施例１】
【００１０】
図２は本発明による端子位置表示器１を組み込んだ多端子端子台Ａの正面図であり、この図においては、一部を展開した状態の端子位置表示器１を示している。即ち、展開状態の端子位置表示器１の表面には上段端子Ｂ１，Ｂ２及び下段端子Ｃ１，Ｃ２に対応した端子のナンバである位置表示２が記録されているが、後述から明らかになるように、短冊状表示器３Ａ，３Ｂ，３Ｃ，３Ｄ，３Ｅまたは透明可撓シート４Ａ，４Ｂの表面にシルクスクリーン印刷したもので構成することができる。
電気的絶縁樹脂から棒状に射出成形される多端子端子台Ａの頂部ａ１には対にされた上段端子Ｂ１，Ｂ２が、その下部ａ２には対にされた下段端子Ｃ１，Ｃ２が設けてあり、各対の上段端子Ｂ１，Ｂ２間並びに各対の下段端子Ｃ１，Ｃ２間は図示を省略する第１導体片並びに第２導体片によりそれぞれ電気的に同通状態におかれる。
【００１１】
また、折畳み状態の端子位置表示器１は、図２の下部位置に斜線で示すように左右から互いに重なり合うように短冊状に折畳（折畳み状態の詳細は後述から明らかになる。）まれるから、上段端子Ｂ１，Ｂ２及び下段端子Ｃ１，Ｃ２が外部へ露呈され、これらの上段端子Ｂ１，Ｂ２及び下段端子Ｃ１，Ｃ２の外部露呈により、これらに対する電気ケーブルの接続状態を確認できる。
【００１２】
図３から図７は本発明による端子位置表示器１の製作工程を示し、図示例の場合、図３に示すように、短辺方向に隣合うように配列された５枚の短冊状表示器３Ａ，３Ｂ，３Ｃ，３Ｄ，３Ｅが用意され、これらの短冊状表示器３Ａ，３Ｂ，３Ｃ，３Ｄ，３Ｅの表面に位置表示２が印刷処理される。厚み０．１ｍｍ程度（好ましくは０．１３ｍｍ）の剛性のある樹脂シートで構成できる短冊状表示器３Ａ，３Ｂ，３Ｃ，３Ｄ，３Ｅは、予め分離された短冊状樹脂シートを製作して配列することもできるが、一部を残して１枚の薄い剛性樹脂シートの表面に平行な複数本の切込みを入れ、後ほど同切り込みから折り取ることでもよい。
【００１３】
次に、図４及び図５に示すように、５枚の短冊状表示器３Ａ，３Ｂ，３Ｃ，３Ｄ，３Ｅの両表面には裏面に粘着ノリを塗布された薄い（０．０２ｍｍ程度、０．０１６ｍｍであるが好ましい）透明可撓シート４Ａ，４Ｂが貼着され、これらの透明可撓シート４Ａ，４Ｂの一部には、短冊状表示器３Ａ，３Ｂ，３Ｃ，３Ｄ，３Ｅの長辺エッジに対応して複数の切込み５Ａ，５Ｂ，５Ｃ，５Ｄが形成される。
したがって、これらの切込み５Ａ，５Ｂ，５Ｃ，５Ｄに対して短冊状表示器３Ａ，３Ｂ，３Ｃ，３Ｄ，３Ｅの厚み方向に対向する透明可撓シート４Ａ，４Ｂの一部で薄肉ヒンジ６Ａ，６Ｂ，６Ｃ，６Ｄが形成されるから、短冊状表示器３Ａ，３Ｂ，３Ｃ，３Ｄ，３Ｅは図６に模式的に示すようなジャバラ折りの状態に折畳むことができる。
【００１４】
図７に示すように、完成した端子位置表示器１は中央部の短冊状表示器３Ｃ上に順次折り重なるように薄肉ヒンジ６Ａ，６Ｂ，６Ｃ，６Ｄからジャバラ状に折られ、多端子端子台Ａの頂部ａ１に組み込んで使用される。
つまり、この折畳み状態の端子位置表示器１は図２の斜線示の状態であるけれども、この端子位置表示器１は薄肉ヒンジ６Ａ，６Ｂ，６Ｃ，６Ｄをヒンジとして開いて図２上部の展開状態とすることができるため、透明可撓シート４Ａ，４Ｂを通して観察される短冊状表示器３Ａ，３Ｂ，３Ｃ，３Ｄ，３Ｅの表面の位置表示２により対応上段端子Ｂ１，Ｂ２及び下段端子Ｃ１，Ｃ２の位置を端的に知ることができる。
【００１５】
また、展開された端子位置表示器１を再び折畳む場合は、薄肉ヒンジ６Ａ，６Ｂ，６Ｃ，６Ｄから短冊状表示器３Ａ，３Ｂ，３Ｃ，３Ｄ，３Ｅをジャバラ状に順に折って再度折畳み状態におくことができるが、透明可撓シート４Ａ，４Ｂは短冊状表示器３Ａ，３Ｂ，３Ｃ，３Ｄ，３Ｅの表面に印刷された位置表示２の防塵カバーとしての機能をもつので、位置表示２がほこりなどで汚れてしまうのを防ぐことができる。勿論、透明可撓シート４Ａ，４Ｂの表面がほこりなどで汚れた場合は雑巾などで拭うだけで用意に清浄な状態に保つことができる。
【産業上の利用可能性】
【００１６】
なお、前記実施例においては、短冊状表示器３Ａ，３Ｂ，３Ｃ，３Ｄ，３Ｅの表面に位置表示２を印刷処理したものを述べたが、透明可撓シート４Ａ，４Ｂの表面に位置表示２を印刷表示する形態で実施することもできるが、この場合には、透明可撓シート４Ａ，４Ｂは不透明であってもよい。
【図面の簡単な説明】
【００１７】
【図１】従来の多端子端子台の端面図である。
【図２】本発明による端子位置表示器を施した多端子端子台の一部切欠き正面図である。
【図３】同端子位置表示器に用いる短冊状表示器の平面図である。
【図４】同端子位置表示器に用いる短冊状表示器及び透明可撓シートの平面図である。
【図５】図４の４−４線に沿う断面図である。
【図６】同端子位置表示器１の折畳みモードの模式図である。
【図７】同端子位置表示器１の折畳み状態の拡大端面図である。
【符号の説明】
【００１８】
Ａ            多端子端子台
Ｂ１，Ｂ２    上段端子
Ｃ１，Ｃ２    下段端子
１            端子位置表示器
２            位置表示
３Ａ，３Ｂ，３Ｃ，３Ｄ，３Ｅ  短冊状表示器
４Ａ，４Ｂ    透明可撓シート
５Ａ，５Ｂ，５Ｃ，５Ｄ        切込み
６Ａ，６Ｂ，６Ｃ，６Ｄ        薄肉ヒンジ
【図１】
2005056772.tif 000003
【図２】
2005056772.tif 000004
【図３】
2005056772.tif 000005
【図４】
2005056772.tif 000006
【図５】
2005056772.tif 000007
【図６】
2005056772.tif 000008
【図７】
2005056772.tif 000009